(57)【要約】      （修正有）【課題】トリガーを一度引くたびに作動するカートリッジの作動距離を大きくしながらも、エネルギーロスを減少できる、玩具銃用カートリッジ回動機構を提供する。【解決手段】トリガー回動軸１３２を挟んでカートリッジ１２１の反対側位置に設置されるネイルアーム回動軸１４２を回動中心として回動される略Ｌ字状からなる、ネイルアーム１４１。ネイルアーム１４１に、長穴状に設けられ、端子１３４を案内するガイド１４３。ネイルアーム１４１の先端に取り付けられ、カートリッジ装弾部１２２と係止可能なネイル１４４。カートリッジ装弾部１２２に当接可能かつ、カートリッジ１２１側とカートリッジ１２１反対側へ摺動可能なカバー１６１に取り付けられ、端子１３４の当接及び当接解除により、カバーをカートリッジ１２１側とカートリッジ１２１反対側への摺動をさせるリンク１５１とからなる玩具銃１０１。【選択図】図１
2017106675.tif 000002
【特許請求の範囲】
【請求項１】
弾丸発射時に弾丸が通過するインナーバレルと、
インナーバレル基部に設置され、弾丸を装填されるカートリッジ装弾部を連続して設けられるカートリッジと、
インナーバレルよりも下方に設置され、操作に伴い弾丸を発射させるトリガーと、
トリガーの回動軸となるトリガー回動軸と、
トリガー延長上でトリガー回動軸よりインナーバレル寄りに設けられる端子と、
トリガー回動軸を挟んでカートリッジの反対側位置に設置されるネイルアーム回動軸と、
ネイルアーム回動軸を回動中心として回動されるネイルアームと、
ネイルアームに、全体としてインナーバレルに沿った方向に、長穴状に設けられ、端子を案内するガイドと、
ネイルアームの先端に取り付けられ、カートリッジ装弾部と係止可能なネイルと、
インナーバレルのカートリッジ側端部に設置され、カートリッジ装弾部に当接可能かつ、カートリッジ側とカートリッジ反対側へ摺動可能なカバーと、
端子の当接及び当接解除により、カバーをカートリッジ側とカートリッジ反対側への摺動をさせるリンクと、
を備える玩具銃。
【請求項２】
リンクは、カバーに取り付けられる、
を備える請求項１記載の玩具銃。
【請求項３】
ネイルアームは略Ｌ字状からなる、
を備える請求項１または２のいずれかに記載の玩具銃。
【発明の詳細な説明】
【技術分野】
【０００１】
本発明は、玩具銃に係る。詳細には、玩具銃用カートリッジの回動機構に係る。更に、詳細には、ＢＢ弾等の弾丸を装填されるカートリッジが取り付けられた玩具銃において、弾丸発射にともないカートリッジを回動させる玩具銃用カートリッジの回動機構に係る。
【背景技術】
【０００２】
従来の玩具銃にＢＢ弾等の弾丸を供給する玩具銃の給弾機構としては、例えば、出願人所有特許権に係る特許文献１図に図示されるものが知られている（特許文献１  米国特許第７，６６９，５８８号）。
特許文献１図１３には、ネイル４、および弾丸が６個収納される円筒状の回転クリップ（装弾部）Ｃが図示されている。特許文献１では、トリガー８を一度引くたびに、トリガー８と回転クリップ（装弾部）Ｃとの間に、トリガー８に近接させて設けたアーム１に直接連結されるネイル４により、回転クリップ（装弾部）Ｃは弾丸１発分約２ｍｍ回転される。
【０００３】
特許文献２（米国特許第５，１６０，７９５号公報）記載の玩具銃に係る発明では、トリガー３８が引かれると、開口部７１を貫通するピン７０を回動中心として回動する脚６１がロータリー弾倉シリンダー４９を係止して移動させる。
【先行技術文献】
【特許文献】
【０００４】
【特許文献１】米国特許第７，６６９，５８８号公報
【特許文献２】米国特許第５，１６０，７９５号公報
【発明の概要】
【発明が解決しようとする課題】
【０００５】
特許文献１（米国特許第７，６６９，５８８号公報）記載発明では、トリガー８を一度引くたびに、ネイル４により、回転クリップ（装弾部）Ｃは弾丸１発分約２ｍｍ回転させるには適する。しかし、ネイル４は、トリガー８と回転クリップ（装弾部）Ｃとの間にトリガー８に近接して設けられるアーム１により作動されるため、作動可能距離が小さい。マガジン内のカートリッジの作動距離が２ｍｍよりも長くなる場合、例えば８ｍｍ等の場合は、弾丸１発分の作動をさせることは困難であった。
【０００６】
同一形状の円筒状からなる装弾部が、複数連続して連結され、始端と終端とは連結されエンドレス状からなるカートリッジの場合、カートリッジが収納されたマガジンボディが玩具銃本体に装填された状態では、銃口側からみると、カートリッジは無端状の円環状を構成する。このようなカートリッジでは、特許文献１記載のネイルの作動距離ではカートリッジを移動させることは困難である。
【０００７】
特許文献２（米国特許第５，１６０，７９５号公報）記載の発明では、ピン７０を回動中心として回動する脚６１がロータリー弾倉シリンダー４９を係止して移動させるものであるため、支点長は固定であって、作動距離も限られたものであった。
【０００８】
本発明の目的は、トリガーを一度引くたびに作動するカートリッジの作動距離を大きくすることにある。
【課題を解決するための手段】
【０００９】
本発明の玩具銃は、
弾丸発射時に弾丸が通過するインナーバレルと、
インナーバレル基部に設置され、弾丸を装填されるカートリッジ装弾部を連続して設けられるカートリッジと、
インナーバレルよりも下方に設置され、操作に伴い弾丸を発射させるトリガーと、
トリガーの回動軸となるトリガー回動軸と、
トリガー延長上でトリガー回動軸よりインナーバレル寄りに設けられる端子と、
トリガー回動軸を挟んでカートリッジの反対側位置に設置されるネイルアーム回動軸と、
ネイルアーム回動軸を回動中心として回動されるネイルアームと、
ネイルアームに、全体としてインナーバレルに沿った方向に、長穴状に設けられ、端子を案内するガイドと、
ネイルアームの先端に取り付けられ、カートリッジ装弾部と係止可能なネイルと、
インナーバレルのカートリッジ側端部に設置され、カートリッジ装弾部に当接可能かつ、カートリッジ側とカートリッジ反対側へ摺動可能なカバーと、
端子の当接及び当接解除により、カバーをカートリッジ側とカートリッジ反対側への摺動をさせるリンクと、
を備える。
【００１０】
本発明の玩具銃は、更に、
リンクは、カバーに取り付けられる、
を備える。
【００１１】
本発明の玩具銃は、更に、
ネイルアームは略Ｌ字状からなる、
を備える。
【発明の効果】
【００１２】
本発明によれば、トリガーを一度引くたびに作動するカートリッジの作動距離を大きくすることが可能となる。
【図面の簡単な説明】
【００１３】
【図１】この発明の実施の形態に係る実施例に係る玩具銃である初期状態の正面断面図である。
【図２】この発明の実施の形態に係る実施例に係る玩具銃である初期状態の背面断面図である。
【図３】この発明の実施の形態に係る実施例に係る玩具銃であるネイルが装弾部を動かし始める瞬間の正面断面図である。
【図４】この発明の実施の形態に係る実施例に係る玩具銃であるネイルが装弾部を動かし始める瞬間の背面断面図である。
【図５】この発明の実施の形態に係る実施例に係る玩具銃であるネイルが装弾部を動かしている途中の正面断面図である。
【図６】この発明の実施の形態に係る実施例に係る玩具銃であるネイルが装弾部を動かしている途中の背面断面図である。
【図７】この発明の実施の形態に係る実施例に係る玩具銃であるネイルが装弾部を動かし終えた瞬間の正面断面図である。
【図８】この発明の実施の形態に係る実施例に係る玩具銃であるネイルが装弾部を動かし終えた瞬間の背面断面図である。
【図９】この発明の実施の形態に係る実施例に係る玩具銃であるリンクがカバーを動かし始める瞬間の正面断面図である。
【図１０】この発明の実施の形態に係る実施例に係る玩具銃であるリンクがカバーを動かし始める瞬間の背面断面図である。
【図１１】この発明の実施の形態に係る実施例に係る玩具銃であるリンクがカバーを動かしている途中の正面断面図である。
【図１２】この発明の実施の形態に係る実施例に係る玩具銃であるリンクがカバーを動かしている途中の背面断面図である。
【図１３】この発明の実施の形態に係る実施例に係る玩具銃であるリンクがカバーを動かし終えた瞬間の正面断面図である。
【図１４】この発明の実施の形態に係る実施例に係る玩具銃であるリンクがカバーを動かし終えた瞬間の背面断面図である。
【図１５】この発明の実施の形態に係る実施例に係る玩具銃であるトリガーを引ききった状態の正面断面図である。
【図１６】この発明の実施の形態に係る実施例に係る玩具銃であるトリガーを引ききった状態の背面断面図である。
【図１７】この発明の実施の形態に係る実施例に係る玩具銃に係るカバーの平面斜視図である。
【図１８】この発明の実施の形態に係る実施例に係る玩具銃に係るカバーの底面斜視図である。
【図１９】この発明の実施の形態に係る実施例に係る玩具銃に係る装弾部の平面斜視図である。
【図２０】この発明の実施の形態に係る実施例に係る玩具銃に係る装弾部の底面斜視図である。
【発明を実施するための形態】
【００１４】
この発明の実施の一形態に係る実施例を、この発明の実施例を図示する図面に基づいて
説明する。
図１以下において、１０１は玩具銃本体、１０２は銃口である。１１１は、インナーバレルである。インナーバレル１１１は、玩具銃本体１０１の上部に銃口１０２から後方に掛けて銃身１０３に沿って銃身１０３内部に設置される。インナーバレル１１１は、弾丸発射時に弾丸が通過する。
【００１５】
１２１は、カートリッジである。カートリッジ１２１は、インナーバレル１１１基部に設置され、弾丸を装填されるカートリッジ装弾部を連続して設けられる。カートリッジ１２１は、カートリッジケースあるいはマガジンボディに収納され、玩具銃本体１０１のトリガー１３１より図中右側である後方即ち銃口１０２とは反対側に差し込まれる。
カートリッジ１２１は、玩具銃の種類によって、トリガー１の前方又は後方に装着する。この実施例では、カートリッジ１２１は、トリガー１３１の後ろ方に設けてある。
【００１６】
カートリッジ１２１は、図１９、図２０に図示されるように、同一形状の円筒状からなる装弾部１２２が２個セットで複数連続して連結され、始端と終端とは連結されるエンドレス状、あるいは、始端と終端とは連結されない連続状からなる。装弾部１２２内には弾丸が装弾される。
カートリッジ１２１が収納されたカートリッジケースあるいはマガジンボディが玩具銃本体１０１に装填された状態では、銃口１０２側からみると、カートリッジ１２１は無端状の円環状あるいは、始端と終端とは連結されない連続状を構成する。装弾部１２２の側面には、装弾部１２２毎に側面側に凹状からなる嵌合部１２３が設けられる。装弾部１２２が２個セットされたセット相互間は、２個セットされた装弾部１２２相互間が嵌合部１２３となる。
【００１７】
１３１は、トリガー、１３２はトリガー回動軸である。トリガー１３１は、玩具銃本体１０１に取り付けられるインナーバレル１１１よりも下方に設置され、操作に伴いエア等気体を噴出し弾丸を発射させる。
トリガー１３１は、トリガースプリング（図示せず）により、図中時計回りに付勢されている。トリガー１３１は、トリガー回動軸１３２を中心として図中反時計回りに回動可能である。
トリガー１３１からは、トリガー回動軸１３２より上方に突起１３３が突設される。トリガー１３１延長上で、トリガー回動軸１３２よりインナーバレル１１１寄りの突起１３３先端には、端子１３４が設けられる。端子１３４は、図１、図２に図示されるように突起１３３から図１表面側に向かって直角に突出される。
【００１８】
１４１は、ネイルアームである。１４２は、ネイルアーム回動軸である。ネイルアーム回動軸１４２は、トリガー回動軸１３２と同様なインナーバレル１１１からの距離に設置する。
ネイルアーム回動軸１４２は、ネイルアーム１４１の銃口１０２側端部に設けられる。ネイルアーム１４１は、ネイルアーム回動軸１４２を回動中心として回動される。ネイルアーム回動軸１４２は、トリガー回動軸１３２を挟んでカートリッジ１２１の反対側位置に設置される。
１４４は、ネイルである。ネイル１４４は先端は突設しており、基部でネイル取付軸１４５によりネイルアーム１４１に固定される。
【００１９】
ネイルアーム１４１は、図示されるように、全体としてＬ字形板状体からなる。
この実施例では、カートリッジ１２１は、図１９、図２０に図示されるように、同一形状の円筒状からなる装弾部１２２が複数連続して連結され、始端と終端とは連結されエンドレス状からなり、カートリッジ１２１は無端状の円環状を構成する。
そのため、カートリッジ１２１を作動させるのにある程度大きな力が必要で、ネイル１４４を下から上へ動かすより、上から下へ動かす方が、より小さな力でカートリッジを動かすことが出来ると発明者は知見した。この為、この実施例では、ネイル１４４は上から下へ動かすこととした。
他方、ネイル１４４の作動距離を大きくする為に、トリガー回動軸１３２とネイルアーム１４１を動かす部分の距離を極力長くする必要がある。本実施例では、ネイルアーム回動軸１４２は、トリガー回動軸１３２を挟んでカートリッジ１２１の反対側位置に設置される。そのため、トリガー回動軸１３２とネイルアーム１４１を動かす部分の距離を極力長くすることが可能となった。
【００２０】
更に、ネイル１４４とトリガー１３１のネイルアーム１４１を動かす部分である端子１３４の位置関係から、ネイルアーム１４１のネイルアーム回動軸１４２はトリガー１３１の銃口１０２側とした。ネイル取付軸１４５とトリガー１３１のネイルアーム１４１を動かす部分である端子１３４の延長上のいずれかの位置にネイルアーム１４１のネイルアーム回動軸１４２を配置すれば、ネイルアーム１４１の形状は更に単純化できる。
この実施例では、ネイルアーム１４１のネイルアーム回動軸１４２は、図示のトリガー回動軸１３２と同様なインナーバレル１１１からの距離に配置し、ネイルアームの形状はほぼ三角形となる。しかし、トリガー１３１を引いてネイル１４４を最下点まで下げるとき、ネイルアーム１４１が三角形のままではトリガー１３１のトリガー回動軸１３２と干渉する。これを回避する為、干渉する部分を凹ませた結果、ネイルアーム１４１は、本実施例のように、Ｌ字に近い形状となった。
【００２１】
１４３は、ガイドである。ガイド１４３は、ネイルアーム１４１に、全体としてインナーバレル１１１に沿った方向に、中央凸状のＬ字型の長穴状に設けられる。
ガイド１４３には、端子１３４が嵌入され、長穴にそって端子１３４を案内する。
【００２２】
１４４は、ネイルである。ネイル１４４は、先端が突設した形状からなる。ネイル１４４は、ネイルアーム１４１のカートリッジ１２１側先端に取り付けられ、カートリッジ装弾部１２２との嵌合部１２３と係止可能である。
ネイル１４４は、カートリッジ１２１に当接し、カートリッジ１２１の嵌合部１２３でカートリッジ１２１を嵌合している間、ネイルアーム回動軸１４２を回動中心としてネイルアーム１４１が回動して先端が下降するに伴うネイル１４４の下降に従い、カートリッジ１２１を下降させる。
【００２３】
１６１は、カバーである。カバー１６１は、図１７、図１８に図示されるように略円筒状からなる。カバー１６１は、インナーバレル１１１のカートリッジ１２１側端部に嵌合されて設置される。カバー１６１のカートリッジ装弾部１２２側端は、カートリッジ装弾部１２２に当接可能である。更に、カバー１６１は、カートリッジ１２１側とカートリッジ１２１反対側へ摺動可能である。
１６２は、リンク嵌合部である。リンク嵌合部１６２は、図１７、図１８に図示されるように内側に凹状を形成する。１６３は、連結部であり、カバー１６１のカートリッジ装弾部１２２側端部と銃口１０２側両端を連結する。
【００２４】
１５１は、リンクである。リンク１５１は、図１、図２に図示されるように棒状からなる。リンク１５１上端は、インナーバレル１１１に取り付けられるカバー１６１のリンク嵌合部１６２に嵌合される。
リンク１５１の下端には、端子１３４と当接する端子当接部１５２が凹状に設けられる。１５３は、リンク回動軸であり、インナーバレル１１１に、リンク回動軸１５３を回動中心として銃口１０２側あるいは銃口１０２の反対側に回動可能に取り付ける。端子当接部１５２は、端子１３４の移動軌跡上に設置する。そのため、端子１３４が、リンク１５１の端子当接部１５２への当接及び当接解除により、カバー１６１をカートリッジ１２１側とカートリッジ１２１反対側への摺動をさせる。
【００２５】
次に図面にしたがって、実施例の作用について説明する。
図１に正面図を、図２に背面図を図示されるように、初期状態ではそれぞれ各部が以下に位置する。
トリガー１３１は引かれていない。そのため、端子１３４もネイルアーム１４１のガイド１４３の最もカートリッジ１２１位置に位置される。
ネイル１４４は、ネイルアーム１４１が移動していないため、カートリッジ１２１からは離れた位置にあり、ネイル１４４先端はカートリッジ１２１には未だ接触していない。
リンク１５１は、未だ端子１３４とは接触していないため、インナーバレル１１１と垂直方向の下方に向いている。
カバー１６１は、リンク１５１が移動していないため、カートリッジ１２１側端部は、装弾部１２２とは距離を取っている。
【００２６】
図３に正面図を、図４に背面図を図示されるように、ネイル１４４が装弾部を動かし始める瞬間は、それぞれ各部は以下に位置する。
トリガー１３１は少し引かれている。そのため、端子１３４は、ネイルアーム１４１のガイド１４３の少し銃口１０２寄りに移動される。
ネイル１４４は、ネイルアーム１４１が少しカートリッジ１２１寄りに移動したため、先端はカートリッジ１２１に近接し、ネイル１４４先端はカートリッジ１２１の嵌合部１２３に嵌合する。
リンク１５１は、未だ端子１３４とは接触していないため、インナーバレル１１１と垂直方向の下方に向いている。
カバー１６１は、リンク１５１が移動していないため、カートリッジ１２１側端部は、装弾部１２２とは距離を取っている。
【００２７】
図５に正面図を、図６に背面図を図示されるように、ネイル１４４が装弾部１２２を動かしている途中の状態では、それぞれ各部は以下に位置する。
トリガー１３１は更に、引かれている。そのため、端子１３４は、ネイルアーム１４１のガイド１４３の略中間まで移動される。
端子１３４がガイド１４３の長穴に沿って導かれるにしたがい、ネイルアーム１４１が図３図４に図示される状態より更に、ネイルアーム回動軸１４２を回動中心として、カートリッジ１２１側先端は、図中下側に移動される。ネイル１４４は、ネイルアーム１４１に取り付けられているため、ネイル１４４も図中下側に移動される。
【００２８】
ネイル１４４先端はカートリッジ１２１の嵌合部１２３に嵌合しているため、ネイル１４４が下側に移動するにともない、カートリッジ１２１を下に移動始める。
リンク１５１は、未だ端子１３４とは接触していないため、インナーバレル１１１と垂直方向の下方に向いている。
カバー１６１は、リンク１５１が移動していないため、カートリッジ１２１側端部は、装弾部１２２とは距離を取っている。
【００２９】
図７に正面図を、図８に背面図を図示されるように、ネイル１４４が装弾部１２２を動かし終えた瞬間では、それぞれ各部は以下に位置する。
トリガー１３１は更に、引かれている。そのため、端子１３４は、ネイルアーム１４１のガイド１４３の山型からなる長穴の頂点を過ぎた位置まで移動される。
端子１３４がガイド１４３の長穴に沿って導かれるにしたがい、ネイルアーム１４１が図５図６に図示される状態より更に、ネイルアーム回動軸１４２を回動中心として、カートリッジ１２１側先端は、図中下側に移動される。ネイル１４４は、ネイルアーム１４１に取り付けられているため、ネイル１４４も図中下側に移動される。
【００３０】
ネイル１４４先端はカートリッジ１２１の嵌合部１２３に嵌合しているため、ネイル１４４が下側に移動するにともない、カートリッジ１２１を更に下に移動し、カートリッジの移動は終了する。
リンク１５１下端の端子当接部１５２は、端子１３４と接触し始め、リンク１５１の下端である自由端は、銃口１０２側に移動させ始める。リンク１５１上端は、インナーバレル１１１に取り付けられるカバー１６１のリンク嵌合部１６２に嵌合されており、連結部１６３で、カバー１６１のカートリッジ装弾部１２２側端部と銃口１０２側両端を連結しているが、カートリッジ１２１側端部は、未だ、装弾部１２２とは距離を取っている。
【００３１】
図９に正面図を、図１０に背面図を図示されるように、リンク１５１がカバー１６１を動かし始める瞬間では、それぞれ各部は以下に位置する。
トリガー１３１は更に、引かれている。そのため、端子１３４は、ネイルアーム１４１のガイド１４３の山型からなる長穴の頂点を更に過ぎた位置まで移動される。
端子１３４がガイド１４３の長穴に沿って導かれるにしたがうネイルアーム１４１が図７図８に図示される状態より更に、ネイルアーム回動軸１４２を回動中心として、カートリッジ１２１側先端の図中下側への移動は終了する。ネイル１４４は、ネイルアーム１４１に取り付けられているため、ネイル１４４も図中下側に移動も終了する。
【００３２】
ネイル１４４先端はカートリッジ１２１の嵌合部１２３に嵌合していため、ネイル１４４が下側に移動するにともなうカートリッジ１２１の更なる下への移動は終了する。
リンク１５１下端の端子当接部１５２は、端子１３４と接触し始め、リンク１５１の下端である自由端は、銃口１０２側に移動させ始める。リンク１５１上端は、インナーバレル１１１に取り付けられるカバー１６１のリンク嵌合部１６２に嵌合されており、連結部１６３で、カバー１６１のカートリッジ装弾部１２２側端部と銃口１０２側両端を連結しているため、カートリッジ１２１側端部は、装弾部１２２の開口部へと移動を始めようとする。
【００３３】
図１１に正面図を、図１２に背面図を図示されるように、リンク１５１がカバー１６１を動かしている途中では、それぞれ各部は以下に位置する。
トリガー１３１は更に、引かれている。そのため、端子１３４は、ネイルアーム１４１のガイド１４３の山型からなる長穴の頂点を更に過ぎた位置まで移動される。
端子１３４がガイド１４３の長穴に沿って導かれるにしたがうネイルアーム１４１が図７図８に図示される状態より更に、ネイルアーム回動軸１４２を回動中心として、カートリッジ１２１側先端の図中下側への移動は終了している。ネイル１４４の、ネイルアーム１４１に取り付けられているためによるネイル１４４の図中下側への移動も終了している。
【００３４】
ネイル１４４先端はカートリッジ１２１の嵌合部１２３に嵌合していため、ネイル１４４が下側に移動するにともなうカートリッジ１２１の更なる下への移動も終了している。
リンク１５１下端の端子当接部１５２は、端子１３４と接触し、リンク１５１の下端である自由端は、銃口１０２側に移動される。リンク１５１上端は、インナーバレル１１１に取り付けられるカバー１６１のリンク嵌合部１６２に嵌合されており、連結部１６３で、カバー１６１のカートリッジ装弾部１２２側端部と銃口１０２側両端を連結しているため、カートリッジ１２１側端部は、装弾部１２２の開口部へと移動をする。
【００３５】
図１３に正面図を、図１４に背面図を図示されるように、リンク１５１がカバー１６１を動かし終えた瞬間では、それぞれ各部は以下に位置する。
トリガー１３１は更に、引かれている。そのため、端子１３４は、ネイルアーム１４１のガイド１４３の山型からなる長穴の頂点を更に過ぎた位置まで移動される。
リンク１５１下端の端子当接部１５２は、端子１３４と接触し、リンク１５１の下端である自由端は、銃口１０２側に移動される。リンク１５１上端は、インナーバレル１１１に取り付けられるカバー１６１のリンク嵌合部１６２に嵌合されており、連結部１６３で、カバー１６１のカートリッジ装弾部１２２側端部と銃口１０２側両端を連結しているため、カートリッジ１２１側端部は、装弾部１２２の開口部へと移動し塞ぐ。
【００３６】
図１５に正面図を、図１６に背面図を図示されるように、トリガー１３１を引ききった状態では、それぞれ各部は以下に位置する。
トリガー１３１は更に、引かれている。そのため、端子１３４は、ネイルアーム１４１のガイド１４３の山型からなる長穴の銃口１０２側位置まで移動される。
リンク１５１下端の端子当接部１５２は、端子１３４と接触し、リンク１５１の下端である自由端は、銃口１０２側に移動される。リンク１５１上端は、インナーバレル１１１に取り付けられるカバー１６１のリンク嵌合部１６２に嵌合されており、連結部１６３で、カバー１６１のカートリッジ装弾部１２２側端部と銃口１０２側両端を連結しているため、カートリッジ１２１側端部は、装弾部１２２の開口部へと移動し開口部を完全に塞ぐ。
【００３７】
この実施の態様では、マガジン内のカートリッジ１２１の作動距離を従来技術より大きくすることができた。
更に、従来技術には、カートリッジ１２１とインナーバレル１１１の間に間隙があったが、カートリッジ１２１とインナーバレル１１１の間に、カートリッジ１２１の回動に連動して動作し、上記間隙を塞ぐカバー１６１を設けた。これによってエネルギー源である圧縮ガスが上記間隙から漏出するのを防ぎ、エネルギー効率の向上を図った。
【符号の説明】
【００３８】
１０１  玩具銃本体
１１１  インナーバレル
１２１  カートリッジ
１２２  カートリッジ装弾部
１３１  トリガー
１３２  トリガー回動軸
１３４  端子
１４１  ネイルアーム
１４２  ネイルアーム回動軸
１４３  ガイド
１４４  ネイル
１５１  リンク
１６１  カバー
【図１】
2017106675.tif 000003
【図２】
2017106675.tif 000004
【図３】
2017106675.tif 000005
【図４】
2017106675.tif 000006
【図５】
2017106675.tif 000007
【図６】
2017106675.tif 000008
【図７】
2017106675.tif 000009
【図８】
2017106675.tif 000010
【図９】
2017106675.tif 000011
【図１０】
2017106675.tif 000012
【図１１】
2017106675.tif 000013
【図１２】
2017106675.tif 000014
【図１３】
2017106675.tif 000015
【図１４】
2017106675.tif 000016
【図１５】
2017106675.tif 000017
【図１６】
2017106675.tif 000018
【図１７】
2017106675.tif 000019
【図１８】
2017106675.tif 000020
【図１９】
2017106675.tif 000021
【図２０】
2017106675.tif 000022